(57)【特許請求の範囲】
【請求項１】
断面半円形状の湾曲面からなって複数の透孔を有する一対の基板と、該基板の凹面側に突設され、上記湾曲面の内周方向に添って一周して延びる一または複数の突壁部からなる突出部とからなり、
上記一対の基板を断面略円形状になるように上下対称に重ね合わせ、前記突壁部が内周方向に添って一周するように形成された管路を直線状に連結して雨水を通す流路とし、前記管路を地下に埋設してなることを特徴とする雨水の浸透管路。
【請求項２】
突壁部が、中途位置に分断個所を設けていることを特徴とする請求項１に記載の雨水の浸透管路。
【発明の詳細な説明】
【０００１】
【発明が属する技術分野】
この発明は、地下に埋設されて雨水の浸透管路に関する。
【０００２】
【従来の技術】
本発明者は、すでに特公平４−２６６４８号において容器状部材を縦横かつ上下に配設した構造体を用いて雨水等の貯留浸透施設とする構造を提案したが、更に汎用性に優れたユニット部材の開発を行い、本発明を完成するに至った。
【０００３】
【発明が解決しようとする課題】
この発明は、管路の周壁となる基板に形成された透孔により管路内へ雨水を取り入れ、また地下へ浸透させる。
管路内に急激に雨水が流入すると、管路の内部に設けた突出部によって急な流れが遮られ、流れを遅くすることができ、地下への雨水の浸透を徐々に行わせることができる。
【０００４】
【発明を解決するための手段】
この発明は上記課題を解決するため、請求項１の発明では、
断面半円形状の湾曲面からなって複数の透孔を有する一対の基板と、該基板の凹面側に突設され、上記湾曲面の内周方向に添って一周して延びる一または複数の突壁部からなる突出部とからなり、
上記一対の基板を断面略円形状になるように上下対称に重ね合わせ、前記突壁部が内周方向に添って一周するように形成された管路を直線状に連結して雨水を通す流路とし、前記管路を地下に埋設してなることを特徴とする。
また、請求項２の発明では、
前記突壁部が、中途位置に分断個所を設けていることを特徴とする。
【０００６】
【発明の実施の形態】
以下に、この発明の雨水の浸透管路について図面を参照しつつ説明する。
図１に示す参考例のユニット部材１は、断面半径状に形成されたプレート状の基板部２と、該基板部２上に突設された筒体３と、基板部２の両端から外方へ向かって水平に延びる連結部４とからなっている。
そして、図示例ではユニット部材１を上下対称に重ねて、断面円形状の筒体となるように組み合わせている。
【０００７】
即ち、筒体３は１または複数であってもよいが、図示例では中央の最も窪んだ個所に一列だけ設けた場合を例示している。
この筒体３は、図示省略しているが基板部２の底面に開口を有した中空体からなっており、基板部２に一体に形成されている。
この筒体３の頂部は、開口しあるいは閉塞していてもよいが、図示例では天壁で塞がった構成を示している。
更に、筒体３は、多角形や楕円形などの任意の断面形状を採ってもよいが、図示例では断面円形の円筒形状からなっている。
また、この筒部３は上方に向かって漸次小径となるよう周壁が断面テーパ状に形成されており、截頭円錐形状となっている。
【０００８】
上記構成からなっているので、ユニット部材１は上下に積み重ねた際に、上方のユニット部材１の筒部３が下方のユニット部材１の筒部３の内部中空に入り込み積み重ねて収納することができる。
図示例の場合、基板部２の断面形状を半円形状としたが、円弧形状であれば半円でなくてもよい。
【０００９】
次に、図２に示す参考例のユニット部材１は、基板部２を２連に設けた構成からなっているが、基板部２と基板部２の間の連結部４の中央に屈曲可能なヒンジ部Ｈを設けている。
従って、このユニット部材１は、前記ヒンジ部Ｈで連結部４を屈曲し一方の基板部２の上に他方に基板部２を重ねて、断面円形状に組み合わせることができる。
この際に各基板部２の端部に設けた連結部４が整合するので、この部分に公知の係止、または固定構造を設けておき、両者を連結することができる。
【００１０】
図３に示す参考例のユニット部材１は、基板部２を３つ設け、各基板部２間は端部から水平に延びる連結部４を介して一連に連結し、両端の基板部２の外端部には水平に外方へ延びる連結部４を突設した構造を示す。
その他の構造は前記参考例と同様である。
この参考例では、基板部２を３つ連結した構造を示したが、４つ、それ以上の多数を一体に連結するものであってもよく、その数は特に限定されるものではない。
【００１１】
図４には２つの基板部２を連結部４で一体に連結した参考例のユニット部材の斜視図を示す。
ここで図示するように各基板部２には、多数の透孔５が穿設されている。
図示例の場合は、同一形状の小孔が規則的に並んだ構造を例示したが、この参考例において基板部２に設ける透孔５の構造は特に限定されるものではなく、要するに通水性、通気性を有するように孔が形成されていればよい。
【００１２】
この透孔５は例えば縦横に交差するリブで囲まれた部分を孔部とするものでもよい。
透孔５の大きさは用途により適宜大きさを設定することができ、ユニット部材１に収納ないし充填する物質がある場合にはこれらが抜け落ちない大きさに設定されることが望ましい。
【００１３】
次に、図５には参考例のユニット部材１の組立の一例を示す。
即ち、図示例の場合は、図３で説明した３連の基板２を有するユニット部材１を用いている。
最下段を構成するユニット部材１は、凹部開口側を下に向けて設置面上にセットする。
【００１４】
次にその上に上下対称に凹部開口側を上に向けた２段目のユニット部材１を載置する。
この際に上下に筒体３は中空であるので、その中に図示しない杆材を挿入して上下のユニット部材１を位置決めないし係止することができる。
次に２段目のユニット部材１の上に上下対称に凹部開口側を下に向けた３段目のユニット部材１を載置する。
【００１５】
この２段目と３段目のユニット部材１，１とは、上下に整合する連結部４、５相互に設けた係止手段または固定手段を用いて連結する。
例えば各連結部４にはネジ孔やボルト孔等を穿設しておき、上下の連結部４のネジ孔やボルト孔を整合した状態で、ネジ６で緊締し、またはボルト６を一方から挿入し他方からナットで緊締すればユニット部材を固定することができる。
【００１６】
４段目と５段目のユニット部材１、１も同様にして上方に積み重ねて行く。
そして最上段のユニット部材１においては、開口側を上向きにしてセットする。
この場合も５段目のユニット部材１の筒体３の中空部に挿入した杆材を最上段のユニット部材１の筒体３の中空部に嵌合して拘束する。
そして、最上段のユニット部材１の連結部４が同一面上に並ぶので、その上を図示しないプレート等で覆い、また必要に応じて連結部４と固定手段で固定することができる。
ここでは、基板が断面湾曲状や断面半円形状となっているので、強度に優れると共に、基板上に突出部を設けているので、ユニット部材を複数つなげて流路を形成する場合に、突出部が水の流れに対する抵抗体となって急な流れを遮り遅くすることができ、地下への雨水の浸透を有効に行なわせることができる。
【００１７】
次に、このユニット部材は、基板部２の下方への通水性や連通性を必要としない用途に上記ユニット部材を用いることができる。
図６に、この透孔を有しないユニット部材１を図４の参考例に適用した場合の一例を示す。
このユニット部材は、前記各参考例の透孔を除く構造以外は、図４の参考例と同様であるので同一構造には同一符号を付して、その説明を省略する。
また、透孔を有しないユニット部材は、透孔の構造及び効果を除くほかは他の各参考例と同様であるのでこれを準用し、図示および説明を省略する。
【００１８】
なお、ユニット部材１は、連結部に設けた連結手段を介してその外側に配置されるユニット部材と連結することができる。
従って、ユニット部材１は、上下方向、左右方向または前後方向にも任意に連結することができる。
なお、連結部４の連結手段には、直接に、係止または固定手段を設ける場合と、他の係止具や固定具を用いて連結具相互を固定する場合などがあるが、いずれにせよ、連結部相互を固定または拘束する構造であればいかなる構造であってもよい。
また、固定ないし係合手段は、上下に連結するものと左右に連結するものとを連結部４に一体に形成し、あるいは別体に形成し、または一方を一体に他方を別体に形成するものであってもよい。
【００１９】
ユニット部材相互の連結手段は特に限定されないが、一例を図７および図８に示す。
ユニット部材の両端に設けられた一方の連結部４には上下連結用の係合受部（図示例では孔）６ａを設け、他方の連結部４には係合突部（図示例では鈎状爪）６ｂを設けておき、ユニット部材を上下に重ねる場合は一方のユニット部材の連結部４の左右を逆にして、例えば下段のユニット部材の係止突部６ｂを上段のユニット部材の係止受部６ａに嵌込み両者を係止する。
この場合、左右方向に連結する場合および前後方向に連結する場合にも、例えば一方のユニット部材の左または右（前または後）に係合受部（例えば蟻溝）７ａを設けておき、他方のユニット部材の右または左（後または前）に係合突部７ｂを設けておけば、両者の係合によりユニット部材を左右または前後方向に連結することができる。
【００２０】
更に、別体の連結具の一例を図８に示す。
この連結具８は、略筒状からなって、上下に前記筒体３の先端側を嵌挿可能な凹部８ａを上下対称に有しており、その外周壁８ｂは前記筒体３の基端側（底部）の中空に略隙間無く嵌合可能な大きさの截頭円錐体を上下対称に配した形状に設定されている。
従って、ユニット部材の筒体３、３が向かい合って上下に組み合わされる場合に、該筒体３の先端側相互を接近させた状態で、連結具８の凹部８ａに上下の筒体の先端を略隙間無く嵌挿させて連結する（図８（ａ）参照）。
また、ユニット部材の底部相互を接近させた状態で組み合わされている個所では、筒体３の中空の開口に連結具８をそのまま上下に嵌挿して連結することができる。
【００２１】
次にユニット部材１の使用例を次に説明する。
このユニット部材１を上下および縦横に多数組み合わせて連結して管路とし、例えば特公平４−２６６４８号に示したような地面を掘り下げたタンク部内に載置し、最上部に被覆手段を施すことにより、雨水等の貯留浸透施設に用いることができる。
そして、筒体３にコンクリートを充填する等によりユニット部材１の強度を高めておけば、耐荷重性が向上するので、その上をグランドとして使用するばかりでなく、建造物を建設することもできる。
【００２２】
また、通水性を有する袋等に上下および縦横に連結したユニット部材１を収納して地下に埋設し、雨水の入り口を上部に設けておけば、小型の貯水槽として利用することができる。
同様に廃棄物処理場の底部に埋設しておき、流水の処理や貯留に用いることもできる。
そして、筒体３はユニット部材１で形成される流路内で水の流れに対する抵抗体となって急な流れを遮り遅くすることができ、地下への雨水の浸透を有効に行なわせることができる。
【００２３】
また、応用例として、多数のユニット部材１を縦横に連結して水中に浮かせてもよい。
この際には、筒体３内に合成樹脂発泡体を充填して浮力を高めておくことが好ましい。
そして、各ユニット部材１内には透水性ネット（図示せず）を敷設して内部に収納した土が抜け落ちないようにして土と植物を入れたり、鉢植の植物をそのままユニット部材に収納する等して湖や池等に浮かべることにより、植物を生育させることができる。
また、筒体３にコンクリートその他の比重の重い重点物を充填し、また多数の連結されたユニット部材１を一体に固着し、または袋や枠に収納してユニット部材１が分離しないようにして、魚礁や海岸線の砂の保護や消波ブロックとして使用することもできる。
【００２４】
更に、本参考例では、ユニット部材の筒部を積み重ね可能なようにテーパ面とした場合を例示したが、先端に向かって大径になる逆テーパ状あるいは段違いに拡開する形状、あるいは同一断面形状等、適宜形状であってもよい。
また、ユニット部材の使用に際しては正逆いずれの向きに用いてもよい。
例えば、接地面が、コンクリートや砕石の上である場合には突起部を上下逆にし基板が上にくるように配置して利用に供してもよい。
上記参考例では、突起部を筒状としてスタッキング可能とした場合を例示したが、柱状であってもよい。例えば断面十字状の柱体や、柱体に突軸を突設したもの等その断面形状は特に限定されるものではない。
【００２５】
次に、図９に示すユニット部材１’は、突出部として周方向に延びる突壁部３’を設けたこの発明の実施例を示す。
この突壁部３’は、図示例の場合、断面円弧形状の突壁からなっている。
なお、本実施例で突壁部３’は、基板部２の前後にそれぞれ１条と中途に２条を設けているが、前後にそれぞれ設けられた突壁部（説明の便宜上３”）は、前後にユニット部材を連結した際に組み合わされて１つの突壁部３’となるように、１つの突壁部３’を２分割したうちのそれぞれの一方と同一の形状となるように設定されている。
【００２６】
その他の構成は前記参考例と同様であるので、同一構成には同一符号を付して説明を省略する。
これにより、前記筒体と同様に突壁部３’はユニット部材１’で形成される流路内で水の流れに対する抵抗体となって急な流れを遮り遅くすることができ、地下への雨水の浸透を有効に行なわせることができる。
上記突壁部３’は基板部２より突出して、基板部の湾曲面の内周方向に沿って一連に形成されているが、その断面形状は、弧状に限らず矩形や多角形状など任意の形状であってもよい。
また、突壁部３’は基板部２を一連に軸方向に対して直交する方向で横断する形状を図示したが、軸方向に対して傾斜する構造（図１１（ａ）参照）や中途位置で１または複数個所で分断個所３ｄを設ける構成（図１１（ｂ）参照）、あるいは交互に前方を塞ぐように配置される構成等であってもよい。
更に、基板部２、２間の連結部４をヒンジ形状として、図１２に示すように折り曲げて１つの管路としている。
【００２７】
このユニット部材１’の場合は、基板部２を湾曲形成して突壁部３’を形成するので、基板部２の強度を一層高めることができる。
このユニット部材１で、透孔５を設けない参考例を図１０に示す。
このユニット部材１’は、前記筒体を有する実施例のユニット部材１で、筒体および筒体を用いた連結手段を除き、その他の説明した構造を全て適用することができ、その説明は前記実施例の説明を援用しここでは省略する。
その他、要するにこの発明の要旨を変更しない範囲で種々変更しうること勿論である。
【００２８】
【発明の効果】
この発明では、基板が断面湾曲状となっているので、強度に優れると共に、基板上に突出部を設けているので、上記一対の基板を断面略円形状になるように上下対称に重ね合わせて管路とし、これを直線状に連結して雨水を流す流路を形成することで、突出部が水の流れに対する抵抗体となって急な流れを遮り遅くすることができ、地下への雨水の浸透を有効に行なわせることができる。
【図面の簡単な説明】
【図１】  ユニット部材の参考例の側面図。
【図２】  折り曲げ式のユニット部材の側面図。
【図３】  ３連の基板部を有するユニット部材の側面図。
【図４】  ２連の基板部を有するユニット部材の斜視図。
【図５】  上下多段に組み合わせた組立例を示す側面図。
【図６】  透孔を設けない異なる参考例のユニット部材を示す斜視図。
【図７】  連結手段の一例を示す部分断面図。
【図８】  （ａ）は連結具を用いて筒体の先端間を連結する場合の部分断面図、（ｂ）は基端間を連結する場合の部分断面図。
【図９】  ユニット部材の実施例を示す斜視図。
【図１０】  透孔を設けない場合の参考例を示す斜視図。
【図１１】  （ａ）（ｂ）は突壁部の異なる実施例を示す平面図。
【図１２】  連結部にヒンジ部を設けた折り曲げ式のユニット部材の側面図。
【符号の説明】
１・・・ユニット部材
１’・・突設部を異にしたユニット部材
２・・・基板部
３・・・筒体
３’・・突壁部
４・・・透孔
５・・・連結部
６・・・ボルト
【図１】
0004025406.tif 000002
【図２】
0004025406.tif 000003
【図３】
0004025406.tif 000004
【図４】
0004025406.tif 000005
【図５】
0004025406.tif 000006
【図６】
0004025406.tif 000007
【図７】
0004025406.tif 000008
【図８】
0004025406.tif 000009
【図９】
0004025406.tif 000010
【図１０】
0004025406.tif 000011
【図１１】
0004025406.tif 000012
【図１２】
0004025406.tif 000013